(57)【要約】【課題】強電力信号が入力された場合でも良好な受信が行えるＴＶ放送受信用チューナモジュールを提供する。【解決手段】アノードがＲＦ信号ライン側に接続され、カソードがグランド電位に接続されるＰＩＮダイオードＤ１と、ＰＩＮダイオードＤ１のアノードとモジュール内部の電圧制御可能な電圧ノードＡ１との間に設けられる抵抗素子Ｒ１とを備えるＴＶ放送受信用チューナモジュール。【選択図】図２
2010074395.tif 000002
【特許請求の範囲】
【請求項１】
アノードがＲＦ信号ライン側に接続され、カソードがグランド電位に接続されるＰＩＮダイオードと、
前記ＰＩＮダイオードのアノードとモジュール内部の電圧制御可能な電圧ノードとの間に設けられる第１の抵抗素子とを備えることを特徴とするＴＶ放送受信用チューナモジュール。
【請求項２】
前記モジュール内部の電圧制御可能な電圧ノードが、モジュールに内蔵されているＩＣの設定可能なポートである請求項１に記載のＴＶ放送受信用チューナモジュール。
【請求項３】
前記モジュール内部の電圧制御可能な電圧ノードが、モジュールに内蔵されているＩＣのＤＡＣ（Digital to Analog Converter）出力ポートである請求項２に記載のＴＶ放送受信用チューナモジュール。
【請求項４】
前記ＲＦ信号ライン上に第２の抵抗素子を設けている請求項１〜３のいずれか１項に記載のＴＶ放送受信用チューナモジュール。
【請求項５】
前記ＰＩＮダイオードのアノードと前記モジュール内部の電圧制御可能な電圧ノードとの間に前記第１の抵抗素子及びコイル素子からなる直列接続体が設けられている請求項１〜４のいずれか１項に記載のＴＶ放送受信用チューナモジュール。
【請求項６】
チューナモジュールの入力信号のレベルに応じて、前記モジュール内部の電圧制御可能な電圧ノードにおける電圧を制御する制御部を備える請求項１〜５のいずれか１項に記載のＴＶ放送受信用チューナモジュール。
【請求項７】
前記制御部が、或る一定値を所定の時間以上超えた、及び／又は、下回ったチューナモジュールへの入力レベルに応じて、前記モジュール内部の電圧制御可能な電圧ノードにおける電圧を制御する請求項６に記載のＴＶ放送受信用チューナモジュール。
【請求項８】
請求項１〜７のいずれか１項に記載のＴＶ放送受信用チューナモジュールを備えることを特徴とするＴＶ放送受信機器。
【発明の詳細な説明】
【技術分野】
【０００１】
本発明は、ＴＶ放送受信用チューナモジュール及びそれを備えたＴＶ放送受信機器に関し、特に、増幅器一体型アクティブアンテナと接続されるのに好適なＴＶ放送受信用チューナモジュール及びそれを備えたＴＶ放送受信機器に関する。
【背景技術】
【０００２】
従来の一般的なＴＶ放送受信用チューナモジュールの構成を、ワンセグチューナモジュールを例に挙げて説明する。ワンセグチューナモジュールは、各ＴＶ放送局より送信されるワンセグ放送の中の１局を選局し、希望の番組を受信させるための回路を搭載したモジュールである。
【０００３】
従来のワンセグチューナモジュールの構成例を図１に示す。図１に示すワンセグチューナモジュール１００は、ＲＦ＿ＩＣ２００とＯＦＤＭ復調ＩＣ３００の２つのＩＣ（Integrated Circuit）を備えている。
【０００４】
ワンセグ放送信号は、アンテナ１からワンセグチューナモジュール１００のＲＦ_ＩＮ端子に入力され、ワンセグ放送信号の帯域であるＵＨＦ帯域のみを通過させるバンドパスフィルタ２を介しＲＦ_ＩＣ２００内のＲＦ_ＶＧＡ回路３に入力される（ＲＦ_ＩＮ端子からＲＦ_ＩＣの入力端子までの信号ラインをＲＦ信号ラインという）。
【０００５】
ＲＦ_ＶＧＡ回路３は、強電力のワンセグ放送信号が入力された場合でも、ＲＦ_ＶＧＡ回路自身及び後段の回路によって処理される信号が歪まないようにするためにゲインを制御する可変利得増幅回路である。基本的には、ワンセグチューナモジュール１００内に搭載されている後段のＯＦＤＭ復調ＩＣ３００から出力される制御信号（ＲＦ_ＡＧＣ電圧）によってＲＦ_ＶＧＡ回路３は適切なゲインとなり、歪による受信劣化を防ぐことが可能となる。ただし、ＲＦ_ＶＧＡ回路には自身で受信電力検波機能（検波回路４）を持ち合わせているものも有り、ＲＦ_ＶＧＡ回路（ＲＦ_ＶＧＡ回路３及び検波回路（ＤＥＴ）４）だけで自動的にゲインを最適化するものもある。
【０００６】
ＲＦ_ＶＧＡ回路３によって適切な信号レベルとなったワンセグ放送信号は、ミキサ回路５及び６によって、後段のＯＦＤＭ復調回路３００にて取り扱いが容易となるＩＦ信号に変換される。ミキサ回路５及び６は、基本的にはスーパーヘテロダイン方式を使用しており、受信すべきワンセグ放送信号とそのワンセグ放送信号周波数の中間周波数だけ下側又は上側の局部発振信号とを入力し、その差成分であるＩＦ信号を生成して出力する。ＩＦ信号は、ＰＬＬ部（局部発振周波数のＭ分周と水晶発振子１４の発振周波数のＮ分周との差に応じた誤差信号を出力するＰＬＬ回路１３、水晶振動子１４、及び誤差信号を直流化するループフィルタ１５）が局部発振周波数を常に一定に保つことにより、常に一定の周波数に保たれ、多くは１ＭＨｚ以下の信号となるため、ＯＦＤＭ復調ＩＣ３００にて復調することが容易となる。
【０００７】
図１に示す構成では、ミキサ回路が２つ（ミキサ回路５及び６）設けられ、ミキサ回路の後段にはポリフェーズフィルタ７が設けられている。ポリフェーズフィルタ７は、スーパーヘテロダイン方式のミキサ回路では避けられないイメージ妨害を除去するために設けられる。ＩＦ信号を１ＭＨｚ以下とした場合、イメージ妨害周波数が放送信号の受信帯域内に入ってくるため、ポリフェーズフィルタ７を設けないと、受信感度が悪化し、最悪の場合は受信自体が不可能となる。
【０００８】
また、図１に示す構成では、局部発振信号を発生する電圧制御発振器が２つ（電圧制御発振器１０及び１１）設けられている。このような構成を採用したのは、一方の電圧制御発振器を低域周波数用とし、他方の電圧制御発振器を高域周波数用とすることで、発振帯域が狭くて安価な電圧制御発振器でＵＨＦの全帯域をカバーするためである。
【０００９】
スイッチ１２は、選局に応じて、電圧制御発振器１０及び１１のいずれか一方の局部発振信号を選択して分周器１６に供給する。分周器１６は、局部発振信号を２分周したものを、バッファアンプ１７を介してミキサ回路５に、バッファアンプ１８を介してミキサ回路６に、それぞれ供給する。図１に示すモジュールでは、位相雑音性能改善のため局部発振信号周波数を２倍の周波数で発振させているため、分周器１６を設けている。
【００１０】
ミキサ回路５及び６から出力されたＩＦ信号は、ポリフェーズフィルタ７及びＩＦフィルタ８を介し、ＩＦ_ＶＧＡ回路９へと入力される。ポリフェーズフィルタ７及びＩＦフィルタ８は、ＩＦ信号以外の不要なノイズを除去するもので、後段のＩＦ_ＶＧＡ回路９などで不要なノイズを増幅させないようにしている。
【００１１】
ＩＦ_ＶＧＡ回路９はゲイン制御可能な可変利得増幅回路である。基本的にはワンセグチューナモジュール１００内に搭載されている後段のＯＦＤＭ復調ＩＣ３００から出力される制御信号（ＩＦ_ＡＧＣ電圧）によってＩＦ_ＶＧＡ回路９は適切なゲインとなり、ＯＦＤＭ復調ＩＣ３００での復調動作において最良の復調性能が得られるよう動作する。
【００１２】
ワンセグチューナモジュールの多くは、図１に示すワンセグチューナモジュール１００のように、ＲＦ_ＩＣとＯＦＤＭ復調ＩＣと周辺回路とによって構成される。そして、ＲＦ_ＩＣは、図１に示すチューナモジュール１００のＲＦ_ＩＣ２００のように、ＲＦ_ＶＧＡ回路からＩＦ_ＶＧＡ回路までの機能を含む場合が多い。
【００１３】
ＯＦＤＭ復調ＩＣ３００は、ＲＦ_ＩＣ２００から出力されたＩＦ信号をＯＦＤＭ復調する回路である。このＯＦＤＭ復調ＩＣ３００から出力されるトランスポートストリーム出力信号（ＴＳ出力信号）は、ワンセグチューナモジュール１００の後段に接続されるバックエンドＩＣ（デジタル復号回路）にて復号されて映像信号、音声信号、及びデータとなり、その映像信号やデータを液晶パネルモジュールなどに出力すればその映像信号やデータに応じた映像やデータ情報をユーザが見ることができ、その音声信号をスピーカなどに出力すればその音声信号に応じた音声をユーザが聞くことができる。
【００１４】
最近では、デジタル復号はＰＣ（Personal Computer）などによるソフトウエア復号の場合も有り、バックエンドＩＣを必要とせず、ユーザが映像や音声を視聴する事も可能である。
【００１５】
また、図１に示すワンセグチューナモジュール１００は、Ｉ2Ｃバス通信によってセット側のホストＩＣやＰＣから制御することができる高周波モジュールである。
【００１６】
【特許文献１】特開平１−８９６２４号公報
【発明の開示】
【発明が解決しようとする課題】
【００１７】
カーナビなどのＴＶ放送受信機器の場合、感度改善のため増幅器一体型アクティブアンテナを使用する場合がある。車のフロントガラスなどにフィルム状のエレメント（導電体）を貼り付けアンテナとして使用する場合、エレメントだけでは十分な受信性能が取れないので、増幅器一体型アクティブアンテナではエレメントにゲイン１５ｄＢ程度の増幅器を取り付けている。増幅器一体型アクティブアンテナを使用することにより、弱電界エリアにおける感度の大幅な改善が可能となる。
【００１８】
しかしながら、増幅器一体型アクティブアンテナは、１５ｄＢのゲインを有しているため、逆に東京タワー下などの強電界エリアでは歪みなどの原因により受信障害を引き起こす要因ともなる。
【００１９】
東京タワー下で、フィルム状のエレメントのみのアンテナを使用した場合、そのアンテナに接続されるチューナモジュールには０ｄＢｍ程度のＴＶ放送信号が入力される。これに対して、東京タワー下で、増幅器一体型アクティブアンテナを使用した場合、その増幅器一体型アクティブアンテナに接続されるチューナモジュールには＋１５ｄＢｍ程度もの強電力ＴＶ放送信号がチューナモジュールに入力されることになり、チューナモジュール内部のＲＦ_ＶＧＡ回路で歪みが発生し、受信状態が悪化し、最悪の場合は受信自体が不可能となる。
【００２０】
本発明は、上記の状況に鑑み、強電力信号が入力された場合でも良好な受信が行えるＴＶ放送受信用チューナモジュール及びそれを備えたＴＶ放送受信機器を提供することを目的とする。
【課題を解決するための手段】
【００２１】
上記目的を達成するために本発明に係るＴＶ放送受信用チューナモジュールは、アノードがＲＦ信号ライン側に接続され、カソードがグランド電位に接続されるＰＩＮダイオードと、前記ＰＩＮダイオードのアノードとモジュール内部の電圧制御可能な電圧ノードとの間に設けられる第１の抵抗素子とを備える構成としている。
【００２２】
このような構成によると、強電界エリアでは、モジュール内部の電圧制御可能な電圧ノードの直流電圧を高くして、歪みの発生を抑制し、逆に弱電界エリアでは、モジュール内部の電圧制御可能な電圧ノードの直流電圧を低くして、受信感度の劣化を最小限に抑える事が可能となる。したがって、強電力信号が入力された場合でも良好な受信が行える。
【００２３】
また、前記モジュール内部の電圧制御可能な電圧ノードを、モジュールに内蔵されているＩＣの設定可能なポートとしてもよい。さらに、前記モジュール内部の電圧制御可能な電圧ノードを、モジュールに内蔵されているＩＣのＤＡＣ（Digital to Analog Converter）出力ポートとしてもよい。
【００２４】
また、よりレベルが高い強電力信号が入力された場合でも良好な受信が行えるように、前記ＲＦ信号ライン上に第２の抵抗素子を設けてもよい。
【００２５】
また、前記第１の抵抗素子の影響による受信感度の劣化を抑制するために、前記ＰＩＮダイオードのアノードと前記モジュール内部の電圧制御可能な電圧ノードとの間に前記第１の抵抗素子及びコイル素子からなる直列接続体を設けてもよい。
【００２６】
また、チューナモジュールの入力信号のレベルに応じて、前記モジュール内部の電圧制御可能な電圧ノードにおける電圧を制御する制御部を備えるようにしてもよい。これにより、強電界エリア、弱電界エリアのいずれであるかをユーザが気にする必要がなくなる。
【００２７】
また、受信感度が瞬間的に劣化することを防止するために、前記制御部が、或る一定値を所定の時間以上超えた、及び／又は、下回ったチューナモジュールへの入力レベルに応じて、前記モジュール内部の電圧制御可能な電圧ノードにおける電圧を制御するようにしてもよい。
【００２８】
また、上記目的を達成するために本発明に係るＴＶ放送受信機器は、上記いずれかの構成のＴＶ放送受信用チューナモジュールを備えるようにする。
【発明の効果】
【００２９】
本発明に係るＴＶ放送受信用チューナモジュールの構成によると、強電界エリアでは、モジュール内部の電圧制御可能な電圧ノードの直流電圧を高くして、歪みの発生を抑制し、逆に弱電界エリアでは、モジュール内部の電圧制御可能な電圧ノードの直流電圧を低くして、受信感度の劣化を最小限に抑える事が可能となる。したがって、強電力信号が入力された場合でも良好な受信が行える。
【発明を実施するための最良の形態】
【００３０】
本発明の実施形態について図面を参照して以下に説明する。本発明に係るチューナモジュールの構成を、ワンセグチューナモジュールを例に挙げて説明する。
【００３１】
本発明に係るワンセグチューナモジュールの一構成例は、図１に示す従来のワンセグチューナモジュールに、図２に示す回路を追加した構成である。
【００３２】
図１に示す従来のワンセグチューナモジュール１００のＲＦ_ＩＮ端子−バンドパスフィルタ２間の信号ラインを取り除いて図２に示す回路を追加する場合、図２に示す回路の端部Ｘ１がＲＦ_ＩＮ端子に接続され、図２に示す回路の端部Ｘ２がバンドパスフィルタ２の入力側に接続される。また、図１に示す従来のワンセグチューナモジュール１００のバンドパスフィルタ２−ＲＦ＿ＩＣ２００間の信号ラインを取り除いて図２に示す回路を追加する場合、図２に示す回路の端部Ｘ１がバンドパスフィルタ２の出力側に接続され、図２に示す回路の端部Ｘ２がＲＦ＿ＩＣ２００の入力端子に接続される。いずれの場合でも、図２に示す回路の端部Ｘ１−端部Ｘ２間のラインはＲＦ信号ラインの一部となる。
【００３３】
図２に示す回路は、アノードがＲＦ信号ライン側に接続され、カソードがグランド電位に接続されるＰＩＮ（p-intrinsic-n）ダイオードＤ１と、ＰＩＮダイオードＤ１のアノードとワンセグモジュール内部の電圧制御可能な電圧ノードＡ１（以下、電圧ノードＡ１と略す）との間に設けられる抵抗素子Ｒ１とを備えている。
【００３４】
また、図２に示す回路は、電圧ノードＡ１の直流電圧が図２に示す回路外のＲＦ信号ラインに伝送されることを防止する直流阻止用コンデンサＣ１及びＣ２を端部Ｘ１−端部Ｘ２間のライン上に備え、さらに、一端が電圧ノードＡ１に接続され他端がグランド電位に接続されるノイズ低減用バイパスコンデンサＣ３を備えている。
【００３５】
ここで、電圧ノードＡ１の直流電圧を高くすると、抵抗素子Ｒ１を介してＰＩＮダイオードＤ１に直流電流が流れ、ＰＩＮダイオードＤ１の高周波抵抗が減少するため、ＲＦ信号ラインのインピーダンスが下がり、ＲＦ信号ラインを伝送する信号は減衰する。逆に、電圧ノードＡ１の直流電圧を低くすると、ＰＩＮダイオードＤ１に直流電流が流れないため、ＰＩＮダイオードＤ１は小容量のコンデンサと等価となるため、ＲＦ信号ラインを伝送する信号は減衰しない。
【００３６】
したがって、東京タワー下などの強電界エリアでは、電圧ノードＡ１の直流電圧を高くして、チューナモジュール内部のＲＦ_ＶＧＡ回路３での歪みの発生を抑制し、逆に弱電界エリアでは、電圧ノードＡ１の直流電圧を低くして、受信感度の劣化を最小限に抑える事が可能となる。
【００３７】
本発明に係るチューナモジュールの基本構成は、従来のチューナモジュールに、ＰＩＮダイオードＤ１と抵抗素子Ｒ１の２個の素子を追加するだけで実現することができるので、安価で小スペースでの対策が可能である。さらに、ＰＩＮダイオードＤ１は対グランドに１個のみ接続されているため、ＲＦ信号ラインの周波数特性もフラットにする事が可能である。
【００３８】
実際の構成では、ＰＩＮダイオードＤ１に東芝製ＪＤＰ２Ｓ０８ＳＣを用い、抵抗素子Ｒ１の抵抗値を２．２［ｋΩ］とし、電圧ノードＡ１の直流電圧を２［Ｖ］に設定としたところ、ＰＩＮダイオードＤ１による信号減衰と増幅器一体型アクティブアンテナの約１５ｄＢの増幅とが相殺され、東京タワー下においても良好な受信状態であった。また、電圧ノードＡ１の直流電圧を０［Ｖ］に設定とした場合は、受信感度の劣化も無く、弱電界エリアの受信状態に劣化はなかった。
【００３９】
電圧ノードＡ１は、例えば、ワンセグチューナモジュール内部ＩＣであるＲＦ＿ＩＣ２００又はＯＦＤＭ復調ＩＣ３００の汎用ポートを用い、ＩＣでのレジスタ設定により当該汎用ポートの電圧を変更することで実現することができる。すなわち、既存のＩＣを用い製品価格を上げることなく電圧ノードＡ１を実現することが可能である。
【００４０】
また、電圧ノードＡ１として用いるＲＦ＿ＩＣ２００又はＯＦＤＭ復調ＩＣ３００の汎用ポートをＤＡＣ（Digital to Analog Converter）出力ポートとする事により、電圧ノードＡ１の直流電圧の値を細かく設定する事が可能となる。例えば、ＩＣに８bitのＤＡＣ回路が内蔵されていれば、２５６段階の電圧設定が可能となる。
【００４１】
ＰＩＮダイオードＤ１に東芝製ＪＤＰ２Ｓ０８ＳＣを用い、抵抗素子Ｒ１の抵抗値を２．２［ｋΩ］とした構成において、電圧ノードＡ１の直流電圧を１．５［Ｖ］に設定とした場合はＰＩＮダイオードＤ１による信号減衰と約１０ｄＢの増幅との相殺が、電圧ノードＡ１の直流電圧を２．５［Ｖ］に設定とした場合はＰＩＮダイオードＤ１による信号減衰と約２０ｄＢの増幅との相殺が可能であった。
【００４２】
したがって、電圧ノードＡ１として用いるＲＦ＿ＩＣ２００又はＯＦＤＭ復調ＩＣ３００の汎用ポートをＤＡＣ出力ポートとした場合、様々なゲインの増幅器一体型アクティブアンテナに対してソフト（ＤＡＣ出力のレジスタ値）で対応可能となるので、汎用性が高く、より効果的に強電界エリアでの歪みの発生を抑制することができる。
【００４３】
しかしながら、増幅器一体型アクティブアンテナのゲインが２０ｄＢ以上と高い場合、図２に示す回路では減衰量が足りなくなる事態が生じ得る。そのような事態が想定される場合には、図３に示すように、ＲＦ信号ラインに抵抗素子Ｒ２を追加し、減衰量を多く取るようにすればよい。これにより、ゲインが２０ｄＢ以上の増幅器一体型アクティブアンテナにも対応が可能となる。
【００４４】
また、ＲＦ信号ラインのインピーダンスが非常に高い場合、電圧ノードＡ１の直流電圧を０［Ｖ］にしても抵抗素子Ｒ１の影響で受信感度が劣化することが希にある。そのようなときには、図４に示すように、インダクタンス値が大きいコイルＬ１を抵抗素子Ｒ１とＲＦ信号ラインとの間に設け、抵抗素子Ｒ１の影響による受信感度の劣化を抑制するとよい。
【００４５】
ＴＶ放送受信用チューナモジュールは、図１で示すようにＲＦＶＧＡ回路の部分に入力レベルを確認するための検波回路（ＤＥＴ）が内蔵されている構成のものが多い。このような構成のＴＶ放送受信用チューナモジュールは、入力レベルをソフト的に値を読み取る事が可能であり、チューナモジュールに入ってくる信号レベルを等価的に判定する事が可能である。
【００４６】
そこで、上述した本発明に係るワンセグチューナモジュールにおいて、検波回路（ＤＥＴ）４が確認している入力レベルと正の相関があるＲＦＡＧＣレジスタ値を使用し、ワンセグチューナモジュールの入力信号レベルが或る一定値（第１閾値）を３秒間以上超えた場合、電圧ノードＡ１の直流電圧を高くして東京タワー下などの強電界エリアでの歪みの発生を抑制し、また、ワンセグチューナモジュールの入力信号レベルが或る一定値（第２閾値）を３秒間以上下回る場合、電圧ノードＡ１の直流電圧を低くして弱電界エリアでの受信感度の劣化を最小限に抑えるようにするとよい。
【００４７】
このような制御を行う事により、強電界エリア、弱電界エリアのいずれであるかをユーザが気にする必要がなくなる。
【００４８】
ビル影などの影響により、ワンセグチューナモジュールの入力信号レベルが瞬時に変化する場合があるが、そのたびに電圧ノードＡ１の直流電圧の値を切替えると、その切り替えによるレベル変化により受信感度が瞬間的に劣化する場合が考えられる。そのため、上記制御では、ワンセグチューナモジュールの入力信号レベルが或る一定値を３秒間以上超えた場合に電圧ノードＡ１の直流電圧を高くし、また、ワンセグチューナモジュールの入力信号レベルが或る一定値を３秒間以上下回る場合に電圧ノードＡ１の直流電圧を低くするようにして、瞬時のレベル変動は感知しないようにしている。
【００４９】
ここで、上記制御を実行するためのＲＦ＿ＩＣ２００の動作フローチャートを図５に示す。ＲＦ＿ＩＣ２００が図５に示す動作フローチャートに従って動作する場合、ＲＦ＿ＩＣ２００の汎用ポートを電圧ノードＡ１として用いる。
【００５０】
ＲＦ＿ＩＣ２００は、図５に示す動作フローチャートに従って動作を１秒毎に行う。
【００５１】
まず、ＲＦ＿ＩＣ２００の制御部は、ＲＦＡＧＣレジスタ値を読み込み（ステップＳ１０）、ＲＦＡＧＣレジスタ値が２００より大きいか否かを判定する（ステップＳ２０）。
【００５２】
ＲＦＡＧＣレジスタ値が２００より大きければ（ステップＳ２０のＹＥＳ）、ＲＦ＿ＩＣ２００の制御部は、パラメータＰ１が０であるか否かを判定する（ステップＳ３０）。なお、パラメータＰ１は、ＲＦＡＧＣレジスタ値が２００を超えてから継続して超えている間は１以上となり、それ以外は０となるパラメータである。
【００５３】
ＲＦＡＧＣレジスタ値が２００より大きくなければ（ステップＳ２０のＮＯ）、ＲＦ＿ＩＣ２００の制御部は、ＲＦＡＧＣレジスタ値が１２５以下であるか否かを判定する（ステップＳ４０）。
【００５４】
ＲＦＡＧＣレジスタ値が１２５以下であれば（ステップＳ４０のＹＥＳ）、ＲＦ＿ＩＣ２００の制御部は、パラメータＰ２が０であるか否かを判定する（ステップＳ５０）。なお、パラメータＰ２は、ＲＦＡＧＣレジスタ値が１２５以下になってから継続して１２５以下である間は１以上となり、それ以外は０となるパラメータである。
【００５５】
ステップＳ３０の判定でパラメータＰ１が０であれば（ステップＳ３０のＹＥＳ）、ＲＦ＿ＩＣ２００の制御部は、パラメータＰ１を１とし、カウント値ＣＮＴを１とし、パラメータＰ２を０とし（ステップＳ６０）、ステップＳ１１０に移行する。なお、カウント値ＣＮＴは、ＲＦＡＧＣレジスタ値が２００を超えた時から、または、ＲＦＡＧＣレジスタ値が１２５以下になった時から、何秒間その状態が継続しているかをカウントするためのカウント値である。
【００５６】
ステップＳ３０の判定でパラメータＰ１が０でなければ（ステップＳ３０のＮＯ）、ＲＦ＿ＩＣ２００の制御部は、パラメータＰ１を１つ増加させ、カウント値ＣＮＴを１つ増加させ、パラメータＰ２を０とし（ステップＳ７０）、ステップＳ１１０に移行する。
【００５７】
ステップＳ５０の判定でパラメータＰ２が０であれば（ステップＳ５０のＹＥＳ）、ＲＦ＿ＩＣ２００の制御部は、パラメータＰ２を１とし、カウント値ＣＮＴを１とし、パラメータＰ１を０とし（ステップＳ８０）、ステップＳ１１０に移行する。
【００５８】
ステップＳ５０の判定でパラメータＰ２が０でなければ（ステップＳ５０のＮＯ）、ＲＦ＿ＩＣ２００の制御部は、パラメータＰ２を１つ増加させ、カウント値ＣＮＴを１つ増加させ、パラメータＰ１を０とし（ステップＳ９０）、ステップＳ１１０に移行する。
【００５９】
ステップＳ４０の判定でＲＦＡＧＣレジスタ値が１２５以下でなければ（ステップＳ４０のＮＯ）、ＲＦ＿ＩＣ２００の制御部は、パラメータＰ１を０とし、カウント値ＣＮＴを１とし、パラメータＰ２を０とし（ステップＳ１００）、ステップＳ１１０に移行する。
【００６０】
ステップＳ１１０において、ＲＦ＿ＩＣ２００の制御部は、カウント値ＣＮＴが３より大きいか否かを判定する。カウント値ＣＮＴが３より大きければ（ステップＳ１１０のＹＥＳ）、ＲＦ＿ＩＣ２００の制御部は、パラメータＰ１が０であるか否かを判定する（ステップＳ１２０）。一方、カウント値ＣＮＴが３より大きくなければ（ステップＳ１１０のＮＯ）、ＲＦ＿ＩＣ２００の制御部は、フローチャート動作を終了する。
【００６１】
ステップＳ１２０の判定でパラメータＰ１が０であれば（ステップＳ１２０のＹＥＳ）、ＲＦ＿ＩＣ２００の制御部は、電圧ノードＡ１の直流電圧が高くなるように、電圧ノードＡ１の直流電圧設定用レジスタ値の設定を行い（ステップＳ１４０）、ステップＳ１６０に移行する。
【００６２】
ステップＳ１２０の判定でパラメータＰ１が０でなければ（ステップＳ１２０のＮＯ）、ＲＦ＿ＩＣ２００の制御部は、パラメータＰ２が０より大きいか否かを判定する（ステップＳ１３０）。パラメータＰ２が０であれば（ステップＳ１３０のＹＥＳ）、ＲＦ＿ＩＣ２００の制御部は、電圧ノードＡ１の直流電圧が低くなるように、電圧ノードＡ１の直流電圧設定用レジスタ値の設定を行い（ステップＳ１５０）、ステップＳ１６０に移行する。一方、パラメータＰ２が０でなければ（ステップＳ１３０のＮＯ）、直接ステップＳ１６０に移行する。
【００６３】
ステップＳ１６０において、ＲＦ＿ＩＣ２００の制御部は、パラメータＰ１、カウント値ＣＮＴ、パラメータＰ２をそれぞれ０とし、フローチャート動作を終了する。
【００６４】
図５に示すフローチャートでは、ステップＳ１１０での判定基準を３秒としているが、この時間を長くとる事により、一層安定した制御が可能となる。しかしながら、長くし過ぎると車などの高速移動手段に対処できなくなるため、最大でも１０秒程度が適切である。また、図５に示すフローチャートでは、“ＲＦＡＧＣレジスタ値”をその時点の値として処理を行っているが、“ＲＦＡＧＣレジスタ値”を３秒程度の移動平均値として処理する事により、動作をより安定させる事も可能である。
【００６５】
なお、上述した実施形態ではワンセグチューナモジュールを例に挙げて説明したが、他のＴＶ放送受信用チューナモジュールであってもよい。また、本発明に係るＴＶ放送受信機器は、例えば、増幅器一体型アクティブアンテナと、本発明に係るＴＶ放送受信用チューナモジュールと、デジタル復号部と、表示部及び音声出力部とが順に接続された構成である。
【図面の簡単な説明】
【００６６】
【図１】は、従来のワンセグチューナモジュールの構成例を示す図である。
【図２】は、本発明に係るチューナモジュールの特徴部分の構成例を示す図である。
【図３】は、本発明に係るチューナモジュールの特徴部分の他の構成例を示す図である。
【図４】は、本発明に係るチューナモジュールの特徴部分の更に他の構成例を示す図である。
【図５】は、ＲＦ＿ＩＣの動作フローチャートである。
【符号の説明】
【００６７】
１    アンテナ
２    バンドパスフィルタ
３    ＲＦ_ＶＧＡ回路
４    検波回路（ＤＥＴ）
５、６    ミキサ回路
７    ポリフェーズフィルタ
８    ＩＦフィルタ
９    ＩＦ_ＶＧＡ回路
１０、１１    電圧制御発振器
１２    スイッチ
１３    ＰＬＬ回路
１４    水晶振動子
１５    ループフィルタ
１６    分周器
１７、１８    バッファアンプ
１００    ワンセグチューナモジュール
２００    ＲＦ＿ＩＣ
３００    ＯＦＤＭ復調ＩＣ
Ａ１    ワンセグチューナモジュール内部の電圧制御可能な電圧ノード
Ｃ１、Ｃ２    直流阻止用コンデンサ
Ｃ３    ノイズ低減用バイパスコンデンサＣ３
Ｄ１    ＰＩＮダイオード
Ｌ１    コイル
Ｒ１、Ｒ２    抵抗素子
【図１】
2010074395.tif 000003
【図２】
2010074395.tif 000004
【図３】
2010074395.tif 000005
【図４】
2010074395.tif 000006
【図５】
2010074395.tif 000007